(57)【要約】【課題】機器設定情報の照会や登録等についての編集処理等の機能の実行を可能とするファクシミリ装置を提供すること。【解決手段】ファクシミリ通信手段と、Ｆコードと機器設定情報の書込みを指定する情報と対応付けて記憶する記憶手段と、前記機器設定情報の書込みを指定する情報が対応付けられたＦコードを受信した場合に、前記Ｆコードの後に続けて当該ファクシミリ通信手順で受信するデータを自装置１の機器設定情報として登録する手段と、を備えるファクシミリ装置１。【選択図】      図３
2004312075.tif 000002
【特許請求の範囲】
【請求項１】
ファクシミリ通信手段と、Ｆコードと機器設定情報の書込みを指定する情報と対応付けて記憶する記憶手段と、前記機器設定情報の書込みを指定する情報が対応付けられたＦコードを受信した場合に、前記Ｆコードの後に続けて当該ファクシミリ通信手順で受信するデータを自装置の機器設定情報として登録する手段と、を備えることを特徴とするファクシミリ装置。
【請求項２】
ファクシミリ通信手段と、Ｆコードと所定のバッチ処理を起動すべきことを指定する情報とを対応付けて記憶する記憶手段と、前記所定のバッチ処理を起動すべきことを指定する情報が対応付けられたＦコードを受信した場合に、前記所定のバッチ処理を起動する手段と、を備えることを特徴とするファクシミリ装置。
【請求項３】
ファクシミリ通信手段と、Ｆコードと機器設定情報を返信すべきことを指定する情報とを対応付けて記憶する記憶手段と、前記機器設定情報を返信すべきことを指定する情報が対応付けられたＦコードを受信した場合に、自装置に設定されている機器設定情報を返信する手段と、を備えることを特徴とするファクシミリ装置。
【発明の詳細な説明】
【０００１】
【発明の属する技術分野】
本発明は、ファクシミリ装置に関し、詳しくは、ＩＴＵ−Ｔ（国際電気通信連合）勧告で規定されたファクシミリ手順信号（以下、「Ｆコード」という。）を実行するファクシミリ装置に関する。
【０００２】
【従来の技術】
近年、ＩＴＵ−Ｔ勧告で規定された、サブアドレス（ＳＵＢ）、選択ポーリング（ＳＥＰ）、パスワード（ＰＷＤ）等のＦコードを利用して、通信相手に電子掲示板のサブアドレス又は選択ポーリングを指定することにより、電子掲示板へ画データを送信したり、電子掲示板に蓄積されている画データを取り出したりする機能を備えたファクシミリ装置が普及している（例えば、特許文献１。）。
【０００３】
【特許文献１】
特開２０００−１５１９６２号公報
【０００４】
【発明が解決しようとする課題】
Ｆコードを利用して、通信相手に実行させる機能は、上記した画データの蓄積や取り出し、画データの親展送信など、原稿の画データに関するもののみであり、原稿の画データに関するもの以外の機能をＦコードを利用して実行するファクシミリ装置は未だ提供されていない。
【０００５】
本発明は、かかる課題に鑑みてなされたものであり、機器設定情報の照会や登録、バッチ処理の起動など、原稿の画データ以外のものについての編集処理等の機能の実行をも可能とするファクシミリ装置を提供することを目的とする。
【０００６】
【課題を解決するための手段】
上記目的を達成するために、請求項１記載のファクシミリ装置は、ファクシミリ通信手段と、Ｆコードと機器設定情報の書込みを指定する情報と対応付けて記憶する記憶手段と、前記機器設定情報の書込みを指定する情報が対応付けられたＦコードを受信した場合に、前記Ｆコードの後に続けて当該ファクシミリ通信手順で受信するデータを自装置の機器設定情報として登録する手段と、を備えることを特徴としている。
【０００７】
請求項２記載のファクシミリ装置は、ファクシミリ通信手段と、Ｆコードと所定のバッチ処理を起動すべきことを指定する情報とを対応付けて記憶する記憶手段と、前記所定のバッチ処理を起動すべきことを指定する情報が対応付けられたＦコードを受信した場合に、前記所定のバッチ処理を起動する手段と、を備えることを特徴としている。
【０００８】
請求項３記載のファクシミリ装置は、ファクシミリ通信手段と、Ｆコードと機器設定情報を返信すべきことを指定する情報とを対応付けて記憶する記憶手段と、前記機器設定情報を返信すべきことを指定する情報が対応付けられたＦコードを受信した場合に、自装置に設定されている機器設定情報を返信する手段と、を備えることを特徴としている。
【０００９】
【発明の実施の形態】
以下本発明の実施の形態に係るファクシミリ装置として、複合機型のファクシミリ装置を例に挙げて説明する。図１にそのファクシミリ装置の構成例を示す。すなわち、ファクシミリ装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、及びＬＡＮインターフェース１２を備えたものであって、各部２乃至１２は通信可能にバス１３によって接続されている。
【００１０】
ＣＰＵ２は、ＲＯＭ４等に格納されたプログラムに従って、このファクシミリ装置１を構成する各部を制御する。ＲＡＭ３は、画データ、各種設定情報、後述するＦコードボックス１９等を記憶する記憶部として機能する。ＲＯＭ４は、ＣＰＵ２によりこのファクシミリ装置１の各部の動作が制御されるための各種プログラムを記憶している。
【００１１】
コーデック５は、画データを送信のためにＭＨ、ＭＲ、ＭＭＲ方式等により符号化し、受信した画データを復号する。
【００１２】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１３に接続されている。
【００１３】
読取部８は、原稿の画データを読み取って、白黒２値化した画データを出力する。記録部９は、例えば電子写真方式のものからなり、受け取った画データ等を記録紙上に記録する。
【００１４】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ファクシミリ番号、サブアドレス（ＳＵＢ）、選択ポーリング（ＳＥＰ）、パスワード等の各種情報を入力する入力キーなどを具備する。オペレータによる各種操作はこの操作部１１から行われる。
【００１５】
ＬＡＮインターフェース１２は、ＬＡＮ（ローカル・エリア・ネットワーク）１５とファクシミリ装置１と通信可能に接続するインターフェースである。ＬＡＮ１５には、クライアントＰＣ１６が設置されており、クライアントＰＣ１６からファクシミリ装置１が有する各種機能を利用することができるようになっている。また、ＬＡＮ１５には、メールサーバ１７、ルータ１８等も設置されており、ファクシミリ装置１は、メールサーバ１７、ルータ１８、インターネット等を通じて他の電子メール端末装置（不図示）とインターネットファクシミリ通信を行うことができる。
【００１６】
上記構成を備えるファクシミリ装置１は、ファクシミリ通信機能、インターネットファクシミリ通信機能、Ｆコード通信機能等を有する。Ｆコード通信とは、ＩＴＵ−Ｔ（国際電気通信連合）の規格にしたがったサブアドレス（ＳＵＢ）、選択ポーリング（ＳＥＰ）、パスワード（ＰＷＤ）等のＦコードを利用して、通信する機能のことである。ファクシミリ装置１は、Ｆコードと実行すべき各種の処理（機能）を指定する情報とを対応付けて記憶（登録）するＦコードボックス１９を有する。
【００１７】
ファクシミリ装置１は、例えば図２に示すような、第１乃至第４のＦコードボックス１９ａ乃至１９ｄをＲＡＭ３の所定領域に形成している。第１のＦコードボックス１９ａは、一般的なＦコード通信に利用される機能の実行を指定する情報を各サブアドレス又は選択ポーリングにそれぞれ対応付けて記憶しており、掲示板への画データの蓄積や読出し、あるいはファクシミリ装置１が中継機として受信画データを転送する際に参照される。第１のＦコードボックス１９ａは、「ＮＯ．」欄、「ボックス名」欄、「ＳＵＢ、ＳＥＰ」欄、「ＰＷＤ」欄、「種別」欄及び「宛先」欄から構成されている。「ＮＯ．」欄には、レコード番号が格納されている。「ボックス名」欄には、配信先などに関する情報が登録されている。「ＳＵＢ、ＳＥＰ」欄には、サブアドレス（ＳＵＢ）又は選択ポーリング（ＳＥＰ）が登録されている。「ＰＷＤ」欄には、パスワード（ＰＷＤ）が登録されている。「種別」欄には、実行すべき機能の種別を指定する情報として、「掲示板」、「中継」等が登録されている。「宛先」欄には、電話番号、メールアドレス、共有フォルダ名、クライアントＩＤ等が登録されている。
【００１８】
第２のＦコードボックス１９ｂは、「ＮＯ．」欄、「ＳＵＢ、ＳＥＰ」欄及び「処理対象」欄から構成されている。「ＳＵＢ、ＳＥＰ」欄にはサブアドレス又は選択ポーリングが登録されている。「処理対象」欄には、「ＳＵＢ、ＳＥＰ」欄の各サブアドレス又は選択ポーリングにそれぞれ対応付けて処理の対象を指定する情報が登録されている。処理の対象を指定する情報としては、Ｆコードボックスを指定する「Ｆコードボックス」、機器設定情報（自装置１に設定された各種機能の設定情報）を指定する「機器設定」、通信管理記録を指定する「通信管理記録」、及びライフモニタ情報（印刷回数、スキャン回数等などユーザの自装置１の利用に関する情報）を指定する「ライフモニタ」が登録されている。
【００１９】
第３のＦコードボックス１９ｃは、「ＮＯ．」欄、「ＰＷＤ」欄及び「処理」欄から構成されている。「ＰＷＤ」欄には、パスワードが登録されている。「処理」欄には、「ＰＷＤ」欄に登録された各パスワードにそれぞれ対応付けて実行すべき処理を指定する情報が登録されている。具体的には、相手先へ処理対象を読み出して返信すべきことを指定する「読出し」、相手先から受信したデータを処理対象に書き込み登録すべきことを指定する「書込み」、及び処理対象を消去すべきことを指定する「消去」が登録されている。
【００２０】
このように、上記第２のＦコードボックス１９ｂと第３のＦコードボックス１９ｃによって、受信するＦコード（サブアドレス及びパスワード）と、処理対象に対して実行すべき処理を指定する情報とが対応付けられている。例えば、「ＳＵＢ、ＳＥＰ」欄のサブアドレス「０００２」及び「ＰＷＤ」欄のパスワード「００２」と、機器設定情報の書込みを指定する情報である、「処理対象」欄の「機器設定」及び「処理」欄の「書込み」とは対応付けられている。また、「ＳＵＢ、ＳＥＰ」欄のサブアドレス「０００２」及び「ＰＷＤ」欄のパスワード「００１」と、機器設定情報を返信すべきこと指定する情報である、「処理対象」欄の「機器設定」及び「処理」欄の「読出し」とは対応付けられている。
【００２１】
第４のＦコードボックス１９ｄは、「ＮＯ．」欄、「ＳＵＢ、ＳＥＰ」欄、「バッチ処理」欄及び「ＰＷＤ」欄から構成されている。「ＳＵＢ、ＳＥＰ」欄には、サブアドレス又は選択ポーリングが登録されている。「ＰＷＤ」欄には、パスワードが登録される。「バッチ処理」欄には、実行すべきバッチ処理を指定する情報が、サブアドレス（又は選択ポーリング）及びパスワードにそれぞれ対応付けて登録されている。
【００２２】
ファクシミリ装置１は、受信したサブアドレス又は選択ポーリングとＦコードボックス１９に基づいて、掲示板原稿の画データの送受信や受信した画データの中継配信処理を行うほか、機器設定情報、Ｆコードボックス１９、通信管理記録情報、ライフモニタ情報等の読出し、書込み又は消去、あるいは所定のバッチ処理を実行する機能を備える。以下、これら機能を実行する際のファクシミリ装置１の処理動作について、図３乃至５に示すフローチャートに基づいて説明する。なお、このフローチャートに基づいて説明するファクシミリ装置１の処理動作は、ＲＯＭ４に格納されている制御プログラムに基づいてＣＰＵ２が発行する命令に従って行われる。
【００２３】
ファクシミリ装置１において着信信号が検出されると（Ｓ１）、ファクシミリ装置１はこれに応答し、受信するファクシミリデータからＤＣＳ（デジタル命令信号）が検出されたか否かを判断する（Ｓ２）。ＤＣＳが検出された場合は、ＮＳＳ（非標準機能設定信号）、ＴＳＩ（送信端末識別信号）、ＳＵＢ（サブアドレス）、ＰＷＤ（パスワード）等の信号を受信してこれらを一時的にＲＡＭ３に格納する（Ｓ３）。
【００２４】
次いで、サブアドレスが検出されたか否かを判断し（Ｓ４）、検出されなかった場合は、通常のファクシミリ通信処理を行った後（Ｓ５）、回線を開放する（Ｓ６）。
【００２５】
一方、サブアドレスが検出されたと判断したときは（Ｓ４：ＹＥＳ）、そのサブアドレスが第２のＦコードボックス１９ｂの「ＳＵＢ、ＳＥＰ」欄に登録された特定のサブアドレスであるか否かを判断する（Ｓ７）。それが特定のサブアドレスでない場合、つまり、第２のＦコードボックス１９ｂに登録されていないサブアドレスである場合には、通常のＦコード通信の処理、すなわち、第１のＦコードボックス１９ａと検出したサブアドレスとに基づいて中継配信、掲示板原稿の読出しや更新などの処理を行う（Ｓ８）。
【００２６】
前記Ｓ７において、検出したサブアドレスが特定のサブアドレスであると判断したときは、そのサブアドレスが第２のＦコードボックス１９ｂの「ＳＵＢ、ＳＥＰ」欄に登録されたサブアドレス（以下、第２のＦコードボックス１９ｂに登録されたものを「データ編集用サブアドレス（ＳＵＢ）」ともいう。）であるか否かを判断する（Ｓ９）。
【００２７】
データ編集用サブアドレスであると判断した場合は、受信したパスワードが、書込み処理を指定する情報「書込み」に対応付けられたパスワード（以下「データ書込み用パスワード」という。）か否かを第３のＦコードボックス１９ｃ基づき判断する（Ｓ１０）。データ書込み用パスワードであると判断した場合は、受信したＦコードの後に続けて当該ファクシミリ通信手順で受信する、相手先ファクシミリ装置から送信されてくるデータ（画データ又はＢＦＴ（バイナリー・ファイル・トランスファー）ファイル）を受信した後（Ｓ１１）、回線を開放する（Ｓ１２）。
【００２８】
そして、第２のＦコードボックス１９ｂにおいて当該サブアドレスに対応付けられた処理対象に前記Ｓ１１で受信したデータを書き込む処理を実行する（Ｓ１３）。具体的には、サブアドレスが「０００１」である場合は、前記Ｓ１１において受信したデータをＦコードボックス１９として登録する。サブアドレスが「０００２」である場合は、前記Ｓ１１で受信したデータを機器設定情報として登録する。サブアドレスが「０００３」である場合は、前記Ｓ１１で受信したデータを通信管理記録として登録する。サブアドレスが「０００４」である場合は、前記Ｓ１１で受信したデータをライフモニタ情報として登録する。
【００２９】
前記Ｓ１０において、データ書込み用パスワードではないと判断した場合は、受信したパスワードが、消去処理を指定する情報「消去」に対応付けられたパスワード（以下「データ消去用パスワード」という。）か否かを第３のＦコードボックス１９ｃ基づき判断する（Ｓ１４）。データ消去用パスワードである場合は、回線を開放した後（Ｓ１５）、第２のＦコードボックス１９ｂにおいて当該サブアドレスに対応付けられた処理対象を消去する処理を実行する（Ｓ１６）。具体的には、サブアドレスが「０００１」である場合は、Ｆコードボックスを消去する。サブアドレスが「０００２」である場合は、機器設定情報を消去する。サブアドレスが「０００３」である場合は、通信管理記録情報を消去する。サブアドレスが「０００４」である場合は、ライフモニタ情報を消去する。
【００３０】
一方、前記Ｓ９において、データ編集用サブアドレスではないと判断したときは、検出されたサブアドレスが第４のＦコードボックス９ｄの「ＳＵＢ、ＳＥＰ」欄に登録されたサブアドレス（以下「バッチ処理起動用サブアドレス」という。）であるか否かを判断する（Ｓ１７）。バッチ処理起動用サブアドレスであると判断したときは、パスワードが同Ｆコードボックス９ｄの「ＰＷＤ」欄に登録されたパスワードであるか否かを判断し（Ｓ１８）、登録された正しいパスワードであると判断した場合は、回線を開放した後（Ｓ１９）、第４のＦコードボックス１９ｄにおいてバッチ処理起動用サブアドレスに対応付けられたバッチ処理を起動する（Ｓ２０）。具体的には、サブアドレスが「９００１」である場合は、自装置１が有する機器設定情報を記録部９で印字出力する。サブアドレスが「９００２」である場合は、送信予約されてＲＡＭ３に蓄積されている原稿の画データの送信処理を実行する。サブアドレスが「９００３」である場合は、自装置１の通信管理記録を記録部９で印字出力する。
【００３１】
前記Ｓ１４において、データ消去用パスワードではないと判断した場合、前記Ｓ１７において、バッチ処理起動用サブアドレスではないと判断した場合、及び前記Ｓ１８において、パスワードが正しくないと判断した場合は、相手先ファクシミリ装置に対しＤＣＮを送信した後（Ｓ２１）、回線を開放する（Ｓ６）。
【００３２】
一方、前記Ｓ２において、ＤＣＳが検出されなかったと判断した場合は、ＤＴＣが検出されたか否かを判断する（Ｓ２２）。ＤＴＣも検出されなかった場合は、前記Ｓ２０及び前記Ｓ６の処理動作を順次実行して回線を開放する。
【００３３】
前記Ｓ２２おいて、ＤＴＣが検出されたと判断した場合は、ＮＳＳ、ＣＩＧ（発呼端末識別信号）、ＳＥＰ（選択ポーリング）、ＰＷＤ（パスワード）等の信号を受信して一時的にＲＡＭ３に格納する（Ｓ２３）。
【００３４】
次いで、選択ポーリング（ＳＥＰ）が検出されたか否かを判断し（Ｓ２４）、検出されなかった場合は、相手先のファクシミリ装置に対して送信してきた所定のインデックス番号に応じた画データを送信する所定のポーリング送信処理を実行した後（Ｓ２５）、回線を開放する（Ｓ２６）。
【００３５】
一方、前記Ｓ２４において選択ポーリングが検出された場合は、その選択ポーリングが、第２のＦコードボックス１９ｂの「ＳＵＢ、ＳＥＰ」欄に登録された、特定の選択ポーリングであるか否かを判断する（Ｓ２７）。特定の選択ポーリングではない場合には、通常のＦコード通信の処理、例えば、第１のＦコードボックス１９ａと検出した選択ポーリングとに基づいて掲示板原稿データの送信等の処理を行う（Ｓ２８）。
【００３６】
一方、前記Ｓ２７において、検出した選択ポーリングが特定の選択ポーリングであると判断したときは、受信したパスワードが、読出し処理を指定する情報「読出し」に対応付けられたパスワード（以下「データ読出し用パスワード」という。）か否かを第３のＦコードボックス１９ｃに基づき判断する（Ｓ２９）。データ読出し用パスワードではないと判断したときは、相手先ファクシミリ装置へＤＣＮを送信した後（Ｓ３０）、回線を開放する（Ｓ２６）。一方、データ読出し用パスワードであると判断したときは（Ｓ２９：ＹＥＳ）、第２のＦコードボックス１９ｂにおいて、当該選択ポーリングに対応付けられた処理対象を読出しこれを相手先のファクシミリ装置に対して、画データ若しくはＢＦＴファイルにて返信した後（Ｓ３１）、回線を開放する（Ｓ２６）。
【００３７】
前記Ｓ３１において、相手先ファクシミリ装置に返信されるデータの内容は、具体的には、選択ポーリングが「０００１」である場合は、Ｆコードボックスであり、選択ポーリングが「０００２」である場合は、機器設定情報であり、選択ポーリングが「０００３」である場合は、通信管理記録であり、選択ポーリングが「０００４」である場合は、ライフモニタ情報である。
【００３８】
以上の説明から明らかなように本発明の実施の形態に係るファクシミリ装置１によれば、ファクシミリ通信で受信したサブアドレス、選択ポーリング等のＦコードを利用することにより、文書の登録や取り出しだけでなく、機器設定情報、Ｆコードボックス、通信管理記録、ライフモニタ情報等の読出し、書込み、消去、あるいはバッチ処理の起動を他のファクシミリ装置から行うことができる。また、３種類のパスワードにより、各処理対象に対して読出し、消去書込みを指定することができるので、１つの処理対象に対して１つのサブアドレスを割り当てればよく、使用するサブアドレスの種類の簡素化を図ることができる。
【００３９】
また、本ファクシミリ装置１のＦコードボックスの登録内容を知らなくても、Ｆコードボックスを読み出すための選択ポーリング及びパスワードさえ知っていれば、本ファクシミリ装置１内に登録されているＦコードボックスを他のファクシミリ装置から取得することができるので、他のファクシミリ装置のユーザは、取得したそのＦコードボックスを利用して、本ファクシミリ装置１の種々の機能を実行させることができる。
【００４０】
【発明の効果】
請求項１記載のファクシミリ装置によれば、特定のＦコードを指定することにより、他のファクシミリ装置から機器設定情報を登録させることができる。
【００４１】
請求項２記載のファクシミリ装置によれば、特定のＦコードを指定することにより、他のファクシミリ装置からバッチ処理を起動させることができる。
【００４２】
請求項３記載のファクシミリ装置によれば、本ファクシミリ装置の機器設定情報を他のファクシミリ装置から取得することができる。
【図面の簡単な説明】
【図１】本発明の実施の形態に係るファクシミリ装置の構成例及び該ファクシミリ装置が設置されるネットワーク構成例を示した図である。
【図２】Ｆコードボックスの例を示した図である。
【図３】本発明の実施の形態に係るファクシミリ装置において着信があった際に実行される処理動作を示したフローチャートである。
【図４】本発明の実施の形態に係るファクシミリ装置において着信があった際に実行される処理動作を示したフローチャートである。
【図５】本発明の実施の形態に係るファクシミリ装置において着信があった際に実行される処理動作を示したフローチャートである。
【符号の説明】
１  ファクシミリ装置
２  ＣＰＵ
３  ＲＡＭ
４  ＲＯＭ
１９ａ乃至１９ｄ  Ｆコードボックス
【図１】
2004312075.tif 000003
【図２】
2004312075.tif 000004
【図３】
2004312075.tif 000005
【図４】
2004312075.tif 000006
【図５】
2004312075.tif 000007